(57)【特許請求の範囲】
【請求項１】
患者の身体の相異なる複数の部分を選択的に露出させるよう構成された、膨らませることが可能な対流ブランケットであり：
主部を備え、前記主部が、患者の頭の下方にある基端から延在する基部と、ブランケット末端まで延在する末部と、前記基部と前記末部との間に位置する中間部と、患者の頭を置くために前記基部に接続された頭部とを含み、
前記主部が、さらに、前記基端から前記ブランケット末端まで途切れることなく縦に延在する中央部と、前記中央部から直角に延在する周辺部を有し、互いに隣接する前記周辺部どうしが、引裂可能な共通シール部によって互いから分離可能であり、患者の身体の特定部分を露出させるために、前記周辺部はそれぞれ隣接する前記周辺部から前記引裂可能な共通シール部に沿って分離されて少なくとも前記中央部に対して移動されることが可能であり、
前記頭部、前記中央部及び前記周辺部が、流体移動可能に互いに接続され、ブランケット内に入れられた温度処理された空気により、前記頭部、前記中央部及び前記周辺部を膨らませることができ、前記中央部と前記周辺部の各々は患者と接触する表面に、患者へと温度処理された空気を排出するための複数の孔を有する、
膨らませることが可能な対流ブランケット。
【請求項２】
前記頭部が、各々が前記基部から延在するとともに流体移動可能に前記基部に接続された２つの管状部を含み、前記中央部と前記周辺部が膨らまされた時に前記管状部の各々が膨らまされ、前記管状部は各々閉端を有し、これら閉端が互いに接続され、または取り外し可能に互いに取り付けられ、患者の頭を置くための膨らませることが可能な囲繞部を形成する、請求項１に記載のブランケット。
【請求項３】
前記管状部の各々が、患者の頭へ温度処理された空気を排出するための複数の孔を有する、請求項２に記載の膨らませることが可能な対流ブランケット。
【請求項４】
さらに、その縁部が前記基部に取り付けられた、透明なプラスチック製のフラップを備え、管状の囲繞部により取り囲まれた患者の頭を覆うために、前記フラップを前記頭部の上へと畳むことができる、請求項２に記載の対流ブランケット。
【請求項５】
前記周辺部は前記中央部の各側部に２つ設けられ、前記周辺部の各々は、その中心位置において少なくとも１本の通り抜けられる通路により前記中央部に流体移動可能に連通し、前記中央部の各側部に設けられた２つの前記周辺部は互いに分離することが可能であるとともに、互いに移動可能であり、また前記中央部に対して移動可能であり、したがって患者の身体の部分を露出させるために、前記中央部の各側部に設けられた２つの前記周辺部の各々または両方は前記中央部に対して移動可能である、請求項１に記載のブランケット。
【請求項６】
前記周辺部は、前記中間部における前記中央部の側部から直角に延在する周辺部と、前記末部における前記中央部の側部から直角に延びる周辺部とを含む請求項１に記載のブランケット。
【請求項７】
前記中央部は、温度処理された空気が流れる２本の縦通路を含み、前記２本の縦通路が第１縦中央シール部により互いに分割され、前記第１縦中央シール部が、前記基端からブランケット共通直交軸の間に予め決められた長さで延在し、前記ブランケット共通直交軸は、前記引裂可能な共通シール部が前記中央部の側部から直角に延在する隣接対をなす前記周辺部を互いに分離する位置であり、第２縦中央シール部が前記末部に沿って延在し、前記第２縦中央シール部は、前記第１縦中央シール部と縦方向に並行するが、前記第１縦中央シール部から離間している、請求項１に記載のブランケット。
【請求項８】
さらに、前記基部に位置する少なくとも１つの空気入口を備え、この空気入口において温度処理された空気がブランケット内に入れられる、請求項１に記載のブランケット。
【請求項９】
前記中央部の側部から直角に延びる前記周辺部は、第１の引裂可能な共通シール部により取外し可能に隣接する周辺部に取り付けられ、第２の引裂可能な共通シール部が前記第１の引裂可能な共通シール部に平行に配置され、前記第２の引裂可能な共通シール部が、前記中間部から前記基部にかけての前記中央部の側部から直角に延在する前記周辺部を取外し可能に互いに接合する、請求項６に記載のブランケット。
【請求項１０】
前記ブランケットが、流体移動可能に接続された各部を封止形成するために、相異なる位置において選択的に接合された２枚の不透気性層からなり、前記２枚の不透気性層のうち患者に接触する不透気性層が長手方向に沿って複数の孔を有し、当該ブランケットが患者に掛けられ、そして当該ブランケットが温度処理された空気により作動状態へと膨らまされた時に、前記不透気性層の孔が温度処理された空気を患者へと排出する、請求項１に記載のブランケット。
【請求項１１】
患者の身体の相異なる複数の部分を選択的に露出させるよう構成された対流ブランケットであり：
主部を備え、前記主部が、患者の頭の下方にある基端から延在する基部と、ブランケット末端まで延在する末部と、前記基部と前記末部との間に位置する中間部と、患者の頭を置くために前記基部に接続された頭部とを含み、
前記主部が、さらに、前記基端から前記ブランケット末端まで途切れることなく縦に延在し、流体移動可能に前記基部と前記中間部と前記末部とに連通する中央部と、各々が前記中間部における前記中央部の側部から直角に延在する少なくとも２つの第１周辺部と、各々が前記末部における前記中央部の側部から直角に延在する少なくとも２つの第２周辺部とを有し、前記中央部の各側部において前記第１周辺部と前記第２周辺部とが互いに隣接して引裂可能な共通シール部により互いから分離可能であり、
前記頭部が流体移動可能に前記基部に連通し、前記第１周辺部と前記第２周辺部の各々が流体移動可能に前記中央部に接続し、ブランケット内に入れられた温度処理された空気により前記頭部と前記中央部と前記第１周辺部と前記第２周辺部を膨らませることができ、
前記第１周辺部と前記第２周辺部の各々は、それぞれ隣接する前記第２周辺部及び前記第１周辺部から前記引裂可能な共通シール部に沿って分離されてブランケットの他の部分に対して移動されることが可能であり、これにより患者の身体の対応部分を露出させることができ、
前記中央部、前記第１周辺部及び前記第２周辺部の各々は患者と接触する面に、患者へと温度処理された空気を排出するための複数の孔を有する、
対流ブランケット。
【請求項１２】
前記頭部が、各々が前記基部から延在するとともに流体移動可能に前記基部に接続された２つの管状部を含み、前記中央部と前記周辺部が膨らまされた時に前記管状部の各々が膨らまされ、前記管状部は各々閉端を有し、これら閉端が互いに接続され、または取り外し可能に互いに取り付けられ、患者の頭を置くための膨らませることが可能な囲繞部を形成し、前記管状部の各々が、患者の頭へ温度処理された空気を排出するための複数の孔を有する、請求項１１に記載のブランケット。
【請求項１３】
さらに、その縁部が前記基部に取り付けられた、透明なプラスチック製のフラップを備え、管状の囲繞部により取り囲まれた患者の頭を覆うために、前記フラップを前記頭部の上へと畳むことができる、請求項１２に記載のブランケット。
【請求項１４】
前記中央部は、温度処理された空気が流れる２本の縦通路を含み、前記２本の縦通路が第１縦中央シール部により互いに分けられ、前記第１縦中央シール部が前記基部から前記中間部と前記末部とがぶつかる位置またはその近傍まで延在し、第２縦中央シール部が前記末部に沿って延在し、前記第２縦中央シール部が前記第１縦中央シール部に縦方向において並行するが、前記第１縦中央シール部から離間する、請求項１１に記載のブランケット。
【請求項１５】
さらに、前記基部に位置する少なくとも１つの空気入口を備え、この空気入口において温度処理された空気がブランケット内に入れられる・請求項１１に記載のブランケット。
【請求項１６】
前記中央部の同一側部から直角に延在する前記第１周辺部と前記第２周辺部は、第１の引裂可能な共通シール部により取外し可能に互いに取り付けられ、前記第１の引裂可能な共通シール部と平行に配置された第２の引裂可能な共通シール部が、前記第１周辺部を取外し可能に前記基部に接合する、請求項１１に記載のブランケット。
【請求項１７】
前記ブランケットが、流体移動可能に接続された各部を封止形成するために、相異なる位置において選択的に接合された２枚の不透気性層からなり、前記２枚の不透気性層のうち患者に接触する不透気性層が長手方向に沿って複数の孔を有し、当該ブランケットが患者に掛けられ、そして当該ブランケットが温度処理された空気により作動状態へと膨らまされた時に、前記不透気性層の孔が温度処理された空気を患者へと排出する、請求項１１に記載のブランケット。
【請求項１８】
患者の身体の複数部分の選択的な処置を可能にし、相異なる複数の位置で封止接合された２枚の不透気性シートにより形成される全身用対流加温ブランケットであり：
主部を備え、前記主部が、患者の頭の下方にある基端から延在する基部と、ブランケット末端まで延在する末部と、前記基部と前記末部との間に位置する中間部と、患者の頭を置くために前記基部に接続された頭部とを含み、
前記主部が、さらに、前記基部、前記中間部及び前記末部に沿って前記基端から前記ブランケット末端まで途切れることなく縦に延在する中央部と、各々が前記中央部の一方の側部から直角に延在する複数の第１周辺部と、各々が前記中央部の他方の側部から直角に延在する複数の第２周辺部とを有し、
互いに隣接して対を成す前記第１周辺部と前記第２周辺部とが、引裂可能な共通シール部により取外し可能に互いに接続され、
前記第１周辺部と前記第２周辺部の各々が流体移動可能に前記中央部に接続され、ブランケット内に入れられた温度処理された空気により、前記頭部、前記中央部、前記第１周辺部及び前記第２周辺部を膨らませることができ、
前記第１周辺部と前記第２周辺部の各々は、それぞれ隣接する前記第２周辺部及び前記第１周辺部から前記引裂可能な共通シール部に沿って分離されて少なくとも前記中央部に対して移動されることが可能であり、これにより前記ブランケットにより覆われた患者の身体の特定部分を選択的に露出させることができ、前記２枚の不透気性シートのうち患者に接触する不透気性シートに、患者へと温度処理された空気を排出するための複数の孔を有する、
全身用対流加温ブランケット。
【請求項１９】
前記頭部が、各々が前記基部から延在するとともに流体移動可能に前記基部に接続された２つの管状部を含み、前記中央部と前記周辺部が膨らまされた時に前記管状部の各々が膨らまされ、前記管状部は各々閉端を有し、これら閉端が互いに接続され、または取り外し可能に互いに取り付けられ、患者の頭を置くための膨らませることが可能な囲繞部を形成し、前記管状部の各々が、患者の頭へ温度処理された空気を排出するための複数の孔を有する、請求項１８に記載のブランケット。
【請求項２０】
さらに、その縁部が前記基部に取り付けられた、透明なプラスチック製のフラップを備え、管状の囲繞部により取り囲まれた患者の頭を覆うために、前記フラップを前記頭部の上へと畳むことができる、請求項１８に記載のブランケット。
【発明の詳細な説明】
【技術分野】
【０００１】
本発明は、対流式加温ブランケットに関し、より詳しくは、臨床医または外科医が、ブランケットに覆われている患者の身体の相異なる部分を選択的に処置できるように構成されたブランケットに関する。
【背景技術】
【０００２】
外科的処置において、患者を術前、術後および／または術中に温めるために、あるいは患者が低体温に陥るのを防ぐために、膨らませることが可能な対流式ブランケットを使用することは公知である。手術中、医者または外科医にとって、患者の身体の所定部分の処置が必要になることが、しばしばある。以前は、患者の身体の所定部分を露出させる一方、患者の身体の他の部分については、これらを覆い、患者への温かさを維持することを保障するために、複数のブランケットを使われていた。しかし、複数のブランケットをたびたび使用することは、手間を要する。さらに、患者の身体の所定部分の処置が完了した後、患者の身体の他の部分の処置が必要になり、前に処置していた患者の身体の部分を温かく保たなければならない、という場合もある。現在市場では、多部位処置用ブランケットが商品番号モデル３１５としてアリザント（Ａｒｉｚａｎｔ）により販売されている。
【発明の概要】
【課題を解決するための手段】
【０００３】
本発明の対流ブランケットは、ブランケット基部からブランケット足部または末端まで延在する中央部を有する主部を備えた、全身用の膨らませることが可能な加温ブランケットである。ブランケット基部は、患者の頭の下方に位置する基端を有する。ブランケット頭部は、ブランケット基部に接続されるとともに、流体移動可能にブランケット基部と連通している。中央部の側部に対して直角に、複数の周辺部が延在しており、周辺部の各々は中央部に対して折り曲げることができ、ブランケット長さ方向に沿って患者の身体の一部分を選択的に露出させることができる。隣接する周辺部は、破断可能な、または引裂可能な共通シール部により、互いに接続されており、隣接する周辺部を互いに分離することを可能にし、また、これらをブランケットの他の部分に対して動かせるようにし、例えばある周辺部をブランケット中央部に向かって畳むと、この周辺部により覆われていた患者の身体の部分を選択的に露出させることができる。隣接する周辺部を分割する、破断容易な、または引裂可能な共通シール部は、その長さ方向に沿って予めカットされていてもよく、あるいはその長さ方向に沿って並んだ一連のスリット群を有していてもよい。これにより、引裂き力が共通シール部に加えられた時に、隣接する周辺部を互いに容易に分離することができる。
【０００４】
ブランケット頭部は、基部から延在する２つの管状部により形成されている。これら管状部の各々は、閉端を有し、これら閉端は、互いに接続し、あるいは共通シール部により取り外し可能に互いに取り付けられている。共通シール部は、前もって分離してもよく、あるいはそれに沿う引裂可能なスリットを有していてもよい。ブランケットが患者に掛けられた時に、２つの管状部は一緒に患者の頭についての囲繞部を形成する。これら管状部に孔が設けられており、ブランケットに入れられた加熱された空気が患者の頭へ送られる。ブランケット基部に、プラスチック製のカバーシートまたはフラップの端部または部分が取り付けられており、これらをブランケット頭部の上へと畳みこむことで、患者の頭を覆い、そしてこの覆いの下の温かい空気を維持するができる。
【０００５】
本発明のブランケットは２枚の不透気性層またはシートから成り、２枚の不透気性層またはシートは、相異なる位置において選択的に接合され、中央部や周辺部を有する膨らませることが可能なブランケット構造体を形成する。これらのうち患者と接触することになるシートまたは層には、その中央部や周辺部に沿って複数の孔を設ける。ブランケットを膨らますためにブランケット内に入れられた加熱された空気がこれらの孔から放出されて、患者を温める。複数の空気入口をブランケット基部に設け、複数の空気入口のうち１つのみが、加熱された空気をブランケット内に入れるために使用されるように構成してもよい。
【０００６】
ブランケット内の加熱された空気の流れを容易にするために、ブランケット中央部に、ブランケット基部から延在し、中間部を通り、ほぼブランケット末部の始点まで達するように、第１中央シール部を設ける。第１中央シール部に縦方向に並行するように、ブランケット末部に沿って延在する第２中央シール部を設ける。これにより、ブランケット中央部に沿って、２本の通り抜けられる通路が形成され、これら通路は、加熱された空気をブランケット基部からブランケット末部へと誘導する。
【０００７】
周辺部は、中央部の各側部から直角に延在させ、少なくとも１本の通り抜けられる通路を介して、周辺部は中央部に流体移動可能に連通させる。その結果、中央部の各側部における周辺部の各々を、中央部に流体移動可能に連通させ、したがって加熱された空気などの温度処理された空気をブランケットに入れると、各周辺部が膨らむ構成とする。
【０００８】
このように、本発明は、患者の身体の相異なる複数の部分を選択的に露出させるよう構成された、膨らませることが可能な対流ブランケットであり、主部を備え、前記主部が、患者の頭の下方にある基端から延在する基部と、ブランケット末端まで延在する末部と、前記基部と前記末部との間に位置する中間部と、患者の頭を置くために前記基部に接続された頭部とを含む、膨らませることが可能な対流ブランケットに関する。前記主部は、さらに、前記基端から前記ブランケット末端まで途切れることなく縦に延在する中央部と、前記中央部から直角に延在する周辺部を有し、患者の身体の特定部分を露出させるために、前記周辺部はそれぞれ少なくとも前記中央部に対して移動可能であり、前記頭部、前記中央部及び前記周辺部が、流体移動可能に互いに接続され、ブランケット内に入れられた温度処理された空気により、前記頭部、前記中央部及び前記周辺部を膨らませることができる。前記中央部と前記周辺部の各々は患者と接触する表面に、患者へと温度処理された空気を排出するための複数の孔を有する。
【０００９】
また本発明は、患者の身体の相異なる複数の部分を選択的に露出させるよう構成された対流ブランケットであり、主部を備え、前記主部が、患者の頭の下方にある基端から延在する基部と、ブランケット末端まで延在する末部と、前記基部と前記末部との間に位置する中間部と、患者の頭を置くために前記基部に接続された頭部とを含む、対流ブランケットに関する。前記主部が、さらに、前記基端から前記ブランケット末端まで途切れることなく縦に延在し、流体移動可能に前記基部と前記中間部と前記末部とに連通する中央部と、各々が前記中間部における前記中央部の側部から直角に延在する２つの第１周辺部と、各々が前記末部における前記中央部の側部から直角に延在する２つの第２周辺部とを有し、前記中央部の各側部において前記第１周辺部と前記第２周辺部とが互いに隣接し、前記頭部が流体移動可能に前記基部に連通し、前記第１周辺部と前記第２周辺部の各々が流体移動可能に前記中央部に接続し、ブランケット内に入れられた温度処理された空気により前記頭部と前記中央部と前記第１周辺部と前記第２周辺部を膨らませることができる。前記第１周辺部と前記第２周辺部の各々はブランケットの他の部分に対して移動可能であり、これにより患者の身体の対応部分を露出させることができ、前記中央部、前記第１周辺部及び前記第２周辺部の各々は患者と接触する面に、患者へと温度処理された空気を排出するための複数の孔を有する。
【００１０】
さらに本発明は、患者の身体の複数部分の選択的な処置を可能にし、相異なる複数の位置で封止接合された２枚の不透気性シートにより形成される全身用対流加温ブランケットであり、主部を備え、前記主部が、患者の頭の下方にある基端から延在する基部と、ブランケット末端まで延在する末部と、前記基部と前記末部との間に位置する中間部と、患者の頭を置くために前記基部に接続された頭部とを含む、全身用対流加温ブランケットに関する。前記主部が、さらに、前記基部、前記中間部及び前記末部に沿って前記基端から前記ブランケット末端まで途切れることなく縦に延在する中央部と、各々が前記中央部の一方の側部から直角に延在する複数の第１周辺部と、各々が前記中央部の他方の側部から直角に延在する複数の第２周辺部とを有し、互いに隣接して対を成す前記第１周辺部と互いに隣接して対を成す前記第２周辺部が引裂可能な共通シール部により取外し可能に互いに接続され、前記第１周辺部と前記第２周辺部の各々が流体移動可能に前記中央部に接続され、ブランケット内に入れられた温度処理された空気により、前記頭部、前記中央部、前記第１周辺部及び前記第２周辺部を膨らませることができる。前記第１周辺部と前記第２周辺部の各々は少なくとも前記中央部に対して移動可能であり、これにより患者の身体の特定部分を選択的に露出させることができ、前記２枚の不透気性シートのうち患者に接触する不透気性シートに、患者へと温度処理された空気を排出するための複数の孔を有する。
【００１１】
下記の図面と連係した本発明の以下の説明により、本発明がより明らかとなり、また本発明が最も良く理解される。
【図面の簡単な説明】
【００１２】
【図１】本発明の対流加温ブランケットの平面図であり、ブランケットの上側層と下側層の双方を示す。
【図２】図１における２−２線に沿ったブランケットの断面図である。
【図３】患者に掛けられた本発明のブランケットを示す。
【発明を実施するための形態】
【００１３】
図１は、本発明のブランケット２を示しており、ブランケット２は、基端６から中間部８の始点まで延在する基部４を有し、中間部８は、ブランケット２の末端１２を終端とする末部１０の始点まで延在する。基部４、中間部８、および末部１０の組合せを、ブランケット２の主胴部と称してもよい。従来から知られている態様と同様に、ブランケット２は２枚の不透気性シートまたは層から成る。図１では、図示目的のために、これら２枚のシートがともに示されており、上側シートが下側シートの上に重なっていて、ブランケット２の多数の孔を有する下側シートすなわち底側層も見ることができる。従来から知られている態様と同様に、２枚のシートは、ブランケット２の種々の位置で封止接合され、膨らませることが可能な構造体を形成する。例えば、ブランケット２の外縁は、外側外縁シール部１２と内側外縁シール部１４により接合されている。後に詳述するように、ブランケット２の頭部の管状部により形成される囲繞部は、内縁シール部１５により画定されている。
【００１４】
外縁シール部１２と１４に加えて、シール部１６ａと１６ｂから成る第１セットを、ブランケット２の縦軸１８に直交するように設ける。シール部１６ａと１６ｂの各々は、縦シール部１８ａと１８ｂにぶつかるまで、ブランケット２の中心に向かって外縁シール部１４から延在させる。ブランケット２の一例において、シール部１６ａと１６ｂの第１セットは、おおよそ基部４と中間部８が交わる連結点に配置し、中間部８と末部１０が交わる連結点またはその近傍に、シール部２０ａと２０ｂから成る第２セットを、ブランケット内側に向かって外縁シール部１４から直角になるように配してもよい。直交シール部１６ａと１６ｂを、縦シール部１８ａと１８ｂとそれぞれ合流させ、直交シール部２０ａと２０ｂを、縦シール部２２ａと２２ｂとそれぞれ合流させる。縦シール部１８ａと１８ｂの間および縦シール部２２ａと２２ｂの間を通り、途切れることなく基端６から末端１２まで縦に延びるブランケット２の部分を、ブランケット２の中央部と称してもよく、図１においてこの部分は参照符号２４で示されている。図１のブランケット２の例において、直交シール部１６ａ、１６ｂ、２０ａ、および２０ｂを水平シール部と称してもよく、また縦シール部１８ａ、１８ｂ、２２ａ、および２２ｂを垂直シール部と称してもよい。
【００１５】
水平シール部１６ａ、１６ｂ、２０ａ、および２０ｂと垂直シール部１８ａ、１８ｂ、２２ａ、および２２ｂによるブランケット２の分割に関して、これらシール部により仕切られるブランケット２の部分を、中央部２４から直角に延在する周辺部とみなしてもよい。かくして周辺部２６ａを、シール部１６ａ、１８ａ、２２ａ、および２０ａにより仕切り、周辺部２６ｂを、シール部１６ｂ、１８ｂ、２２ｂ、および２０ｂにより仕切る。ブランケット２の中間部８またはその近傍において、周辺部２６ａと２６ｂのそれぞれを中央部２４から延在させる。同様に、周辺部２８ａと２８ｂを水平シール部２０ａと２０ｂにより仕切り、ブランケット２の末部１０またはその近傍において、周辺部２８ａと２８ｂのそれぞれを中央部２４から延在させる。
【００１６】
ブランケット２を膨らますために、基部４の基端６の近くに複数の空気入口３０ａと３０ｂを設ける。動作中、これら空気入口３０ａと３０ｂのうち１つのみを使用する。ブランケット２を膨らますために、空気加温機のホース（図示せず）を、これら空気入口の１つに結合し、加熱された空気などの温度処理された空気をブランケット２に入れて、ブランケット構造体を膨らます。
【００１７】
ブランケット２に入れられる温度処理された空気によりブランケット２の種々の部分を膨らますために、ブランケット２の種々の周辺部を中央部２４に接続する、通り抜けられる通路を少なくとも１本設け、これにより周辺部および中央部２４の間に流体が行き来できる連通経路を複数形成する。図示されるように、垂直シール部１８ａと２２ａの２つの対向端の間に画定された通り抜けられる通路３０ａを介して、周辺部２６ａを流体移動可能に中央部に接続する。周辺部２６ｂと中央部２４との間に流体連通を確立する、対応する通り抜けられる通路３０ｂは、垂直シール部１８ｂと２２ｂの対向端の間に画定される。周辺部２８ａには、末部１０において縦に延びる内側シール部３４ａと３４ａ′の対向端の間に画定された通り抜けられる通路３２ａと、シール部３４ａ′の他端とブランケット２の末端１４との間に画定された通り抜けられる通路３２ａ′とを設ける。同様に、末部１０において縦に延びる内側シール部３４ｂと３４ｂ′の対向端により画定された通り抜けられる通路３２ｂと、シール部３４ｂ′の他端とブランケット２の末端１４とにより画定された通り抜けられる通路３２ｂ′とが存在する。このように種々の周辺部２６ａ、２６ｂ、２８ａ、および２８ｂが、それぞれ中央部２４と流体移動可能に連通しており、したがってこれら周辺部はブランケット２において互いに流体移動可能に連通している。
【００１８】
ブランケット２における空気の流れを容易にするために、中央シール部３６ａを、基部４から中間部８を通り、ほぼ中間部８が末部１０と出会う連結点まで縦に延在するように、ブランケット２に設ける。中央シール部３６ａと並列するように、しかし中央シール部３６ａから離間するように第２中央シール部３６ｂを設け、該第２中央シール部３６ｂを末部１０に沿って縦に延在させる。縦シール部３６ａと３６ｂにより、中央部２４に沿って２本の通路３８ａと３８ｂが形成され、基部４における例えば空気入口３０ｂから入った加熱された空気は、これら空気通路３８ａと３８ｂにより案内され、通り抜けられる通路３０ａ、３０ｂ、３２ａ、３２ａ′、３２ｂ、および３２ｂ′を介して周辺部２６ａ、２６ｂ、２８ａ、および２８ｂに到達する。基部４もまた入れられた空気により膨らまされる。
【００１９】
膨張度合いを良くするために、また孔４０を介してなされる加熱された空気の患者への排出を良くするために、多数のシール部４２をブランケット２に設ける。シール部４２と、シール部４２に隣接する孔４０の配置的構成を、図１に示す。中央部２４から直角に延在し、中間部８から基部４を分割する境界を画定する共通シール部１６ａと１６ｂは、それらに沿って形成されたスリット４１ａと４１ｂをそれぞれ有し、したがって、引裂き力を共通シール部１６ａと１６ｂに加えると、周辺部２６ａと２６ｂをブランケット基部４から分離できる。同様に、周辺部２８ａと２８ｂから周辺部２６ａと２６ｂを分ける共通シール部２０ａと２０ｂに沿って、スリット４３ａと４３ｂが形成されている。かくして周辺部２６ａと２６ｂをブランケット２の他の部分から分離することができ、また周辺部２６ａと２６ｂをブランケット２の他の部分から離れる方向に畳むことができ、これによりブランケット２を掛けられた患者の身体の特定部分を選択的に露出させることができる。ここで明らかにしたように、シール部１８ａと２２ａに沿って周辺部２６ａを畳んだり、移動したりすることができ、また、シール部１８ｂと２２ｂに沿って周辺部２６ｂを縦に折り曲げたり、移動したりすることができる。同様に、最初にスリット４３ａに沿って引裂き、次にシール部３４ａと３４ａ′に沿って折り曲げることにより、周辺部２８ａを中央部２４、すなわちブランケット２の他の部分に対して相対的に折り曲げたり、移動したりすることができる。スリット４３ｂに沿って引裂くことにより、周辺部２８ｂを周辺部２６ｂから分離した後、縦シール部３４ｂと３４ｂ′に沿って周辺部２８ｂを折ることが出来る。
【００２０】
スリットの代わりに、破断可能な共通シール部１６ａ、１６ｂ、２０ａ、および２０ｂを、中心線または中央部に沿って引裂可能な材料で形成してもよく、これにより、ブランケット構造体の上側シートと下側シートを接合して、縦中央部２４から直角に延在する周辺部を画定する全体的なシール機能は維持される。前述のように、患者と接触することになるブランケット２の下側シートまたは層には、ブランケット２の種々の部分を介して、加熱された空気を患者の身体の異なる複数の部分へと排出する、多数の孔４０があけられている。
【００２１】
ブランケット２は、基部４から延在する２つの管状部４６ａと４６ｂにより画定される頭部４４を有する。管状部４６ａと４６ｂは、それらの閉端４８ａと４８ｂにおいて、共通シール部５０により接合され、共通シール部５０は一連のスリット群５２を有し、これにより管状部４６ａと４６ｂが互いに分離できるようになっている。完全に膨らまされた時に患者の頭に対する囲繞部５４を形成するために、図１に示されるように閉端４８ａと４８ｂが互いに対向していれば、使用前閉端４８ａと４８ｂは互いに接続されていなくてもよい。患者にブランケット２が掛けられている時に、患者の頭を囲繞し、そして患者の頭を露出させる囲繞部５４を形成するように、管状部４６ａと４６ｂを構成する。患者の頭に向かって加熱された空気を出すための孔４０′を、管状部４６ａと４６ｂのそれぞれに設ける。加熱された空気が容易に外部へと逃げてしまうのを防ぐために、透明なフラップ５６（プラスチックが使用可能である）を、その一部分または縁部５６′を基部４に取り付けて設置し、フラップ５６を囲繞部５４の上へと折りたたむことができるようにすることで、フラップ５６の下で患者の頭へと当てられる熱を維持することができる。
【００２２】
図２は、図１における２−２線に沿ったブランケット２の断面図であり、参照符号１６ｂや２０ｂなどで示される接合シール部ならびに外縁シール部１４を介して下側層またはシート５６ｂに接合された第１層または第１シート５６ａを示す。また図２は、２−２線断面に沿った周辺部２６ｂと孔４０とを示し、孔４０は加熱された空気を周辺部２６ｂからブランケット２が掛けられている患者へと排出する。さらに図２は、頭部４４のための管状部４６ａと４６ｂにより画定された囲繞部５４を示す。図示簡略化のために、図２は正確な縮尺率で描かれているわけではなく、また種々の部分は膨らまされた状態として図示されてはいない。
【００２３】
図３は、患者５８を覆うブランケット２を示す。図示されるように、患者５８の頭は、頭部４４の囲繞部５４の中に位置する。図３において、患者５８の頭は、プラスチック製の透明なフラップ５６によりカバーされている。互いに異なる周辺部をブランケット２の他の部分に対して相対的に動かし、そして折り返すことにより、患者の身体のそれぞれ異なる部分に処置を施すことができる。例えば、患者の右手と右大腿部にアクセスしようとする場合、引裂可能なスリット４３ａと４１ａを介して共通シール部１６ａと２０ａに沿って周辺部２６ａをブランケット２の他の部分から分離し、そして縦シール部１８ａと２０ａに沿って中央部２４の上に畳む。同様に、患者の左大腿部を露出させる場合、周辺部２６ｂを共通シール部１６ｂと２０ｂに沿って分離し、そして中央部２４に対して折り曲げる。周辺部２８ａと２８ｂも同様に中央部２４に向かって折り曲げ、この場合それぞれ患者の右脚と左脚を露出させることができる。また患者の両脚を露出させるために、両周辺部２８ａと２８ｂを、水平共通シール部２０ａと２０ｂに沿って、ブランケット２の基端に向かって折り曲げてもよい。同様に、両周辺部２６ｂと２８ｂを中央部２４の上に畳んでもよく、この場合、患者の左側部分を露出させることができる。また両周辺部２６ａと２８ａを中央部２４の上に畳んでもよく、この場合患者の右側部分を露出させることができる。このように、相異なる周辺部を種々の組合せで折ることにより、患者の身体の相異なる部分を選択的に処理することができ、同時に患者の身体の残りの部分の温かさを維持することができる。
【００２４】
以上で説明した本発明のブランケット２は、基部、中間部、末部、および、ブランケット２の各縦側部分につき互いに近接して設けられた２つの周辺部を備えるが、患者の身体の相異なる部分へのより選択的な処置を可能にするために、中央部２４の各側部から延在する、より小さな寸法の周辺部を追加してもよい。例えば、この形態に限定されるものではないが、中央部２４の各側部から延在する４つの周辺部が存在してもよい。この場合、共通の引裂可能なシール部と、周辺部を画定する縦シール部により分けられた互いに隣接する周辺部を、ブランケットの他の部分に対して折り曲げたり、移動したりしてもよい。中央部２４の上へと折り曲げられる周辺部の長さを画定する、垂直すなわち縦シール部は、ブランケットの長さ方向に沿って互いに並行させる必要はなく、水平共通シール部の長さを変えてもよく、ブランケット全長に渡り中央部２４の幅を一定とする必要なはい。これにより、例えば、折り返した時にブランケット幅の８分の１が露出するように第１の周辺部を構成してもよく、折り返した時にブランケット幅の４分の１が露出するように他の周辺部を構成してもよい。ただし、挿入した空気が流れるブランケットの共通部または中央部２４と各周辺部とが、流体移動可能に連通している必要があり、これにより、温度処理された空気をブランケットに入れることで、すべての周辺部が膨らまされる。
【００２５】
以上で説明した本発明には、多くの変形例、部分的変更例、および細部にわたっての変更例が存在する。本明細書で述べられた全ての事項および添付図に示された全ての事項は、説明のためだけのものであり、本発明の範囲を限定するものではない。本発明の範囲は、添付請求項の主旨と範囲によってのみ限定され得る。
【図１】
0005559211.tif 000002
【図２】
0005559211.tif 000003
【図３】
0005559211.tif 000004